(57)【要約】【課題】  導入コストを低減するとともに各顧客ごとの来店状況を正確に算出し、しかも経営分析を行うのに好適な来店状況管理システムを提供する。【解決手段】  パチンコホールの出入口を通行する遊技客の顔画像が撮影可能となるように出入口の近傍にカメラ１００を設置するとともに、両替所等を訪れる遊技客の顔画像が撮影可能となるように両替所等の近傍にカメラ１００を設置する。顧客分析管理装置１２０は、カメラ１００から画像データを取得し、取得した画像データから顔情報を取得し、取得した顔情報を含む来店履歴情報を来店履歴情報テーブルに登録する。そして、来店状況集計テーブルおよびホールコンデータテーブルに基づいて分析データを生成し、生成した分析データに基づいてグラフを表示する。【選択図】  図１
2007020653.tif 000002
【特許請求の範囲】
【請求項１】
顧客を特定する顔情報に基づいて前記顧客の来店状況を管理する来店状況管理システムであって、
店舗の出入口を通行する前記顧客の顔画像が撮影可能となるように前記出入口の近傍に設置した撮影手段と、前記撮影手段の撮影画像を解析して前記顔情報を取得する顔情報取得手段と、前記顔情報取得手段で取得した顔情報を含む来店履歴情報を来店履歴情報記憶手段に登録する来店履歴情報登録手段と、前記店舗のホールコンデータを取得するホールコンデータ取得手段と、前記来店履歴情報記憶手段の来店履歴情報に基づいて前記各顧客ごとの来店状況を算出する来店状況算出手段と、前記ホールコンデータ取得手段で取得したホールコンデータおよび前記来店状況算出手段で算出した各顧客ごとの来店状況を関連付けた分析データを生成する分析データ生成手段とを備えることを特徴とする来店状況管理システム。
【請求項２】
顧客を特定する顔情報に基づいて前記顧客の来店状況を管理する来店状況管理システムであって、
店舗の関連施設を訪れる前記顧客の顔画像が撮影可能となるように前記関連施設の近傍に設置した撮影手段と、前記撮影手段の撮影画像を解析して前記顔情報を取得する顔情報取得手段と、前記顔情報取得手段で取得した顔情報を含む来店履歴情報を来店履歴情報記憶手段に登録する来店履歴情報登録手段と、前記店舗のホールコンデータを取得するホールコンデータ取得手段と、前記来店履歴情報記憶手段の来店履歴情報に基づいて前記各顧客ごとの来店状況を算出する来店状況算出手段と、前記ホールコンデータ取得手段で取得したホールコンデータおよび前記来店状況算出手段で算出した各顧客ごとの来店状況を関連付けた分析データを生成する分析データ生成手段とを備えることを特徴とする来店状況管理システム。
【請求項３】
請求項１および２のいずれか１項において、
さらに、前記店舗の従業員の顔情報を記憶する従業員顔情報記憶手段と、前記顔情報取得手段で取得した顔情報が前記従業員顔情報記憶手段に存在するか否かを判定する従業員顔情報存在判定手段とを備え、
前記来店履歴情報登録手段は、前記従業員顔情報存在判定手段で前記顔情報が存在すると判定したときは、前記来店履歴情報を登録しないことを特徴とする来店状況管理システム。
【請求項４】
請求項１ないし３のいずれか１項において、
前記来店履歴情報は、当該来店履歴情報の最終更新時を含み、
前記来店履歴情報登録手段は、前記来店履歴情報の最終更新時から所定時間が経過していないと判定したときは、前記来店履歴情報を更新しないことを特徴とする来店状況管理システム。
【発明の詳細な説明】
【技術分野】
【０００１】
本発明は、顧客の来店状況を管理する来店状況管理システムに係り、特に、導入コストを低減するとともに各顧客ごとの来店状況を正確に算出し、しかも経営分析を行うのに好適な来店状況管理システムに関する。
【背景技術】
【０００２】
従来より、パチンコ機やスロットマシン等の遊技機が知られている。これら遊技機を設置したパチンコホールにおいては、１日あたりの来店客数および各遊技客ごとの来店回数を正確に把握し、ホールコンピュータの売上データと連携して経営分析を行うことが望まれる。従来、来店客数は、次のように算出していた。
パチンコ機では、遊技客により打ち出された遊技球が所定の入賞口に入賞するかアウト口に入ると、パチンコ機から排出され、排出された玉がパチンコ機ごとに設けられたアウトタンクに蓄積される。そして、アウトタンクに流入した遊技球が遊技機島の貯留タンクに排出されるときに検出され、その検出信号（アウト信号）がホールコンピュータに出力される。ホールコンピュータでは、この検出信号に基づいて稼働状態を把握している。そして、検出信号が一定時間途絶えたときは、遊技が終了したと判定し、また、検出信号が再度入力されたときは、そのタイミングで遊技客の入れ替わりを判定する。このような判定の結果に基づいて来店客数をカウントアップする。
【０００３】
しかしながら、この方法では、遊技中に遊技球受けに遊技球が詰まった場合は、検出信号が出力されないため、来店客数のカウントアップを行うことができない。また、遊技客がトイレ・飲食物の購入により離席し、その後同遊技機に戻った場合は、検出信号が一定時間途絶えるので、異なる遊技客と判断してしまい、正確な来店客数を把握することができない。そのため、一般的な客単価、固定客の増減に対する売上への影響を予測したり、経営施策（利益調整・イベント実施）を立案したりできない。
【０００４】
一方、各遊技客ごとの来店回数を算出する技術としては、例えば、特許文献１記載の遊技客情報管理システムが知られている。
特許文献１記載の発明は、各遊技機ごとに、遊技客の顔映像を撮影する撮影カメラをその近傍に設け、撮影カメラにより撮影した遊技客の顔情報を記憶するとともに顔情報データベースのなかから遊技客の顔情報を特定し、キーデータとして遊技客情報管理テーブルを作成し、遊技客情報管理テーブルに格納された顔情報と対応するキーデータに基づいて、遊技機の稼働率および各遊技客ごとの来店回数を算出する。
【特許文献１】特開２００４−３３５７３号公報
【発明の開示】
【発明が解決しようとする課題】
【０００５】
しかしながら、特許文献１記載の発明にあっては、各遊技機ごとに撮影カメラを設置するため、導入コストが高いという問題がある。また、遊技機の前に座っていない遊技客についてはカウントの対象とならないので、各遊技客ごとの来店回数を正確に算出することができないという問題もある。
さらに、各遊技客ごとの来店回数を算出するだけで、ホールコンピュータの売上データと連携した経営分析ができないため、固定客の増減に対する売上への影響を把握することができないという問題もある。
そこで、本発明は、このような従来の技術の有する未解決の課題に着目してなされたものであって、導入コストを低減するとともに各顧客ごとの来店状況を正確に算出し、しかも経営分析を行うのに好適な来店状況管理システムを提供することを目的としている。
【課題を解決するための手段】
【０００６】
上記目的を達成するために、本発明に係る請求項１記載の来店状況管理システムは、顧客を特定する顔情報に基づいて前記顧客の来店状況を管理する来店状況管理システムであって、店舗の出入口を通行する前記顧客の顔画像が撮影可能となるように前記出入口の近傍に設置した撮影手段と、前記撮影手段の撮影画像を解析して前記顔情報を取得する顔情報取得手段と、前記顔情報取得手段で取得した顔情報を含む来店履歴情報を来店履歴情報記憶手段に登録する来店履歴情報登録手段と、前記店舗のホールコンデータを取得するホールコンデータ取得手段と、前記来店履歴情報記憶手段の来店履歴情報に基づいて前記各顧客ごとの来店状況を算出する来店状況算出手段と、前記ホールコンデータ取得手段で取得したホールコンデータおよび前記来店状況算出手段で算出した各顧客ごとの来店状況を関連付けた分析データを生成する分析データ生成手段とを備える。
【０００７】
このような構成であれば、店舗の出入口を顧客が通行すると、近傍に設置された撮影手段により、顧客の顔画像が撮影される。そして、顔情報取得手段により、撮影手段の撮影画像が解析されて顔情報が取得され、来店履歴情報登録手段により、取得された顔情報を含む来店履歴情報が来店履歴情報記憶手段に登録される。そして、ホールコンデータ取得手段によりホールコンデータが取得され、来店状況算出手段により各顧客ごとの来店状況が算出される。そして、分析データ生成手段により、取得されたホールコンデータおよび算出された各顧客ごとの来店状況を関連付けた分析データが生成される。
【０００８】
ここで、店舗の出入口とは、店舗の入口または出口をいい、入口と出口が共用となっている場合はその門口を、入口専用および出口専用の別に設置されている場合は、それら門口のうち少なくとも一方をいう。
また、来店履歴情報としては、例えば、来店回数、来店日時および来店曜日が含まれる。以下、請求項２記載の来店状況管理システムにおいて同じである。
【０００９】
さらに、本発明に係る請求項２記載の来店状況管理システムは、顧客を特定する顔情報に基づいて前記顧客の来店状況を管理する来店状況管理システムであって、店舗の関連施設を訪れる前記顧客の顔画像が撮影可能となるように前記関連施設の近傍に設置した撮影手段と、前記撮影手段の撮影画像を解析して前記顔情報を取得する顔情報取得手段と、前記顔情報取得手段で取得した顔情報を含む来店履歴情報を来店履歴情報記憶手段に登録する来店履歴情報登録手段と、前記店舗のホールコンデータを取得するホールコンデータ取得手段と、前記来店履歴情報記憶手段の来店履歴情報に基づいて前記各顧客ごとの来店状況を算出する来店状況算出手段と、前記ホールコンデータ取得手段で取得したホールコンデータおよび前記来店状況算出手段で算出した各顧客ごとの来店状況を関連付けた分析データを生成する分析データ生成手段とを備える。
【００１０】
このような構成であれば、店舗の関連施設を顧客が訪れると、近傍に設置された撮影手段により、顧客の顔画像が撮影される。そして、顔情報取得手段により、撮影手段の撮影画像が解析されて顔情報が取得され、来店履歴情報登録手段により、取得された顔情報を含む来店履歴情報が来店履歴情報記憶手段に登録される。そして、ホールコンデータ取得手段によりホールコンデータが取得され、来店状況算出手段により各顧客ごとの来店状況が算出される。そして、分析データ生成手段により、取得されたホールコンデータおよび算出された各顧客ごとの来店状況を関連付けた分析データが生成される。
【００１１】
さらに、本発明に係る請求項３記載の来店状況管理システムは、請求項１および２のいずれか１項に記載の来店状況管理システムにおいて、さらに、前記店舗の従業員の顔情報を記憶する従業員顔情報記憶手段と、前記顔情報取得手段で取得した顔情報が前記従業員顔情報記憶手段に存在するか否かを判定する従業員顔情報存在判定手段とを備え、前記来店履歴情報登録手段は、前記従業員顔情報存在判定手段で前記顔情報が存在すると判定したときは、前記来店履歴情報を登録しない。
このような構成であれば、従業員顔情報存在判定手段により、取得された顔情報が従業員顔情報記憶手段に存在するか否かが判定される。その結果、存在すると判定されると、来店履歴情報登録手段により、そのときに取得された顔情報を含む来店履歴情報は登録されない。
【００１２】
さらに、本発明に係る請求項４記載の来店状況管理システムは、請求項１ないし３のいずれか１項に記載の来店状況管理システムにおいて、前記来店履歴情報は、当該来店履歴情報の最終更新時を含み、前記来店履歴情報登録手段は、前記来店履歴情報の最終更新時から所定時間が経過していないと判定したときは、前記来店履歴情報を更新しない。
このような構成であれば、来店履歴情報の最終更新時から所定時間が経過していないと判定されると、来店履歴情報登録手段により、来店履歴情報は更新されない。
【発明の効果】
【００１３】
以上説明したように、本発明に係る請求項１記載の来店状況管理システムによれば、店舗の出入口の近傍に撮影手段を設置するだけなので、従来に比して、導入コストを低減することができるという効果が得られる。また、店舗の出入口は、多くの顧客が通行するので、そのような各顧客の来店履歴情報に基づけば、従来に比して、各顧客ごとの来店状況を正確に算出することができるという効果も得られる。さらに、ホールコンデータおよび各顧客ごとの来店状況を関連付けた経営分析を行うことができるという効果が得られる。
【００１４】
さらに、本発明に係る請求項２記載の来店状況管理システムによれば、店舗の関連施設の近傍に撮影手段を設置するだけなので、従来に比して、導入コストを低減することができるという効果が得られる。また、各遊技客ごとの関連施設の利用状況を正確に算出することができるという効果も得られる。さらに、ホールコンデータおよび各顧客ごとの来店状況を関連付けた経営分析を行うことができるという効果が得られる。
【００１５】
さらに、本発明に係る請求項３記載の来店状況管理システムによれば、従業員が登録の対象から除外されるので、各顧客ごとの来店状況をさらに正確に算出することができるという効果が得られる。
さらに、本発明に係る請求項４記載の来店状況管理システムによれば、最終更新時から所定時間が経過していない場合は、同一顧客の来店履歴情報である可能性が高いので、同一顧客の来店履歴情報が頻繁に更新されるのを防止することができるという効果が得られる。
【発明を実施するための最良の形態】
【００１６】
以下、本発明の実施の形態を図面を参照しながら説明する。図１〜図１８は、本発明に係る来店状況管理システムの実施の形態を示す図である。
本実施の形態は、本発明に係る来店状況管理システムを、パチンコホールにおける遊技客の来店状況を管理する場合について適用したものである。
【００１７】
まず、本発明を適用する来店状況管理システムの構成を説明する。
図１は、来店状況管理システムの構成を示すブロック図である。
来店状況管理システムは、図１に示すように、複数のカメラ１００と、カメラ１００で撮影した画像データを処理する画像処理コントローラ１１０と、画像処理コントローラ１１０で処理した画像データに基づいて遊技客の来店状況を管理する顧客分析管理装置１２０と、パチンコホールに設置されたパチンコ機やスロットマシンの稼働データや売上データ等を管理するホールコンピュータ１３０とを有して構成されている。カメラ１００、画像処理コントローラ１１０、顧客分析管理装置１２０およびホールコンピュータ１３０は、ハブ等の中継装置１４０を介してネットワークで相互に接続されている。
カメラ１００は、パチンコホールの出入口を通行する遊技客の顔画像が撮影可能となるようにその出入口の近傍に設置されているとともに、パチンコホールの関連施設である両替所や景品交換所（以下、両替所等と総称する。）を訪れる顔画像が撮影可能となるように両替所等の近傍に設置されている。
【００１８】
次に、画像処理コントローラ１１０の構成を説明する。
図２は、画像処理コントローラ１１０の機能概要を示す機能ブロック図である。
画像処理コントローラ１１０は、図２に示すように、ネットワークとのインターフェースとなる通信Ｉ／Ｆ１０と、カメラ１００から画像データを取得する画像データ取得部１２と、画像データ取得部１２で取得した画像データを処理する画像処理部１４と、画像処理部１４で処理した画像データを記憶するメモリ１６と、画像処理コントローラ１１０全体を制御する制御部１８とを有して構成されている。
【００１９】
次に、画像処理コントローラ１１０が実行する処理を説明する。
制御部１８は、メモリ１６の所定領域に格納されている所定のプログラムを起動させ、そのプログラムに従って、図３のフローチャートに示す画像データ取得処理を実行する。
図３は、画像データ取得処理を示すフローチャートである。
画像データ取得処理は、画像処理コントローラ１１０において実行されると、図３に示すように、まず、ステップＳ１００に移行する。
【００２０】
ステップＳ１００では、現在時刻が所定時刻となったか否かを判定し、所定時刻となったと判定したとき(Yes)は、ステップＳ１０２に移行するが、そうでないと判定したとき(No)は、所定時刻となるまでステップＳ１００で待機する。例えば、パチンコホール開店時に所定時刻である開店時刻になったか否かを判定するものである。
ステップＳ１０２では、画像データ取得部１２が、カメラ１００から画像データを取得し、ステップＳ１０４に移行して、画像処理部１４が、取得した画像データをカメラ１００ごとに分類してメモリ１６の各撮影手段別記憶領域に格納し、一連の処理を終了して元の処理に復帰させる。
【００２１】
次に、顧客分析管理装置１２０の構成を説明する。
図４は、顧客分析管理装置１２０の機能概要を示す機能ブロック図である。
顧客分析管理装置１２０は、図４に示すように、ネットワークとのインターフェースとなる通信Ｉ／Ｆ３０と、データを記憶するメモリ３２と、顔情報等が登録された後述する各種テーブルを有するデータベース３４と、画像データから顔情報を抽出し数値化して判断する顔情報抽出判断部３６と、顔情報を照合する顔情報照合部３８と、データベース３４のなかからデータを検索するデータ検索部４０とを有して構成されている。
【００２２】
顧客分析管理装置１２０は、さらに、ホールコンピュータ１３０からの機種データや売上データ等（以下、ホールコンデータという。）および各顧客ごとの来店状況を関連付けた分析データを生成する分析データ生成部４１と、分析データを表示するデータ表示部４２と、分析データに基づいてグラフを表示するグラフ表示部４４と、データの入力その他の設定を行う設定部４６と、顧客分析管理装置１２０全体を制御する制御部４８とを有して構成されている。
【００２３】
次に、データベース３４のデータ構造を説明する。
データベース３４には、遊技客の来店履歴を示す来店履歴情報を登録する来店履歴情報テーブルが格納されている。
図５は、来店履歴情報テーブルのデータ構造を示す図である。
来店履歴情報テーブルには、図５に示すように、カメラ１００で遊技客が撮影されるごとに１つのレコードが登録される。各レコードは、遊技客の顔情報、来店日付、来店時刻、来店曜日、カメラ１００の種別および退店時刻をそれぞれ登録するフィールドを含んで構成されている。
データベース３４には、さらに、遊技客の顔情報を登録する顧客顔情報テーブルが格納されている。
【００２４】
図６は、顧客顔情報テーブルのデータ構造を示す図である。
顧客顔情報テーブルには、図６に示すように、各遊技客ごとに１つのレコードが登録される。各レコードは、遊技客の顔情報を登録するフィールドを含んで構成されている。
データベース３４には、さらに、パチンコホールの従業員の顔情報を登録する従業員顔情報テーブルが格納されている。
図７は、従業員顔情報テーブルのデータ構造を示す図である。
従業員顔情報テーブルには、図７に示すように、各従業員ごとに１つのレコードが登録される。各レコードは、従業員の氏名および顔情報をそれぞれ登録するフィールドを含んで構成されている。
データベース３４には、さらに、ホールコンデータを登録するホールコンデータテーブルが格納されている。
【００２５】
図８は、ホールコンデータテーブルのデータ構造を示す図である。
ホールコンデータテーブルには、図８に示すように、各日ごとに１つのレコードが登録される。各レコードは、日付、売上合計、パチンコ機の売上、スロットマシンの売上、パチンコのアウト、スロットマシンのアウト、パチンコ機の粗利およびスロットマシンの粗利をそれぞれ登録するフィールドを含んで構成されている。その他、図示しないが、ホールコンデータテーブルは、割数（出玉数（ジェットカウンタに流した玉数）×換金率／売上×１００）等のデータを含んでいる。
データベース３４には、さらに、来店客数を登録する来店客数テーブルが格納されている。
【００２６】
図９は、来店客数テーブルのデータ構造を示す図である。
来店客数テーブルには、図９に示すように、各日ごとに１つのレコードが登録される。各レコードは、日付、来店客数および両替所等来所数をそれぞれ登録するフィールドを含んで構成されている。
データベース３４には、さらに、来店状況を集計するための来店状況集計テーブルが格納されている。
図１０は、遊技客別来店状況集計テーブルのデータ構造を示す図である。
来店状況集計テーブルには、図１０に示すように、各遊技客ごとに１つのレコードが登録される。各レコードは、遊技客の顔情報、当月の来店回数、当月の両替所等来所回数、過去の各月ごとの来店回数および過去の各月ごとの両替所等来所回数をそれぞれ登録するフィールドを含んで構成されている。
【００２７】
次に、顧客分析管理装置１２０が実行する処理を説明する。
制御部４８は、メモリ３２の所定領域に格納されている所定のプログラムを起動させ、そのプログラムに従って、図１１〜図１３のフローチャートに示す来店履歴情報テーブル更新処理、ホールコンデータテーブル更新処理およびグラフ表示処理を並列にそれぞれ実行する。
【００２８】
初めに、来店履歴情報テーブル更新処理を説明する。
図１１は、来店履歴情報テーブル更新処理を示すフローチャートである。
来店履歴情報テーブル更新処理は、顧客分析管理装置１２０において実行されると、図１１に示すように、まず、ステップＳ２００に移行する。
ステップＳ２００では、画像処理コントローラ１１０から画像データを取得し、ステップＳ２０２に移行して、取得した画像データを解析し、ステップＳ２０４に移行して、その解析結果に基づいて撮影画像に顔画像が含まれているか否かを判定し、顔画像が含まれていると判定したとき(Yes)は、ステップＳ２０６に移行する。
【００２９】
ステップＳ２０６では、顔情報抽出判断部３６が、取得した画像データのなかから人間の顔の特徴点を検出し、検出した特徴点の座標を示す数値データからなる顔情報を取得する。顔情報の取得方法としては、例えば、画像データに基づいて背景画像と顔画像に分離し、分離した顔画像の両眼と口の位置があらかじめ指定した位置に来るようにアフィン変換を実行し、眼と口を基準として顔の傾斜分と大きさを補正した顔画像を出力する。そして、補正後の顔画像に基づいて、顔構成要素の特徴点の座標変化を追跡し、特徴点の座標を示す数値データを顔情報として生成する。
【００３０】
次いで、ステップＳ２０８に移行して、データ検索部４０が、取得した顔情報をもとに従業員顔情報テーブルを検索し、ステップＳ２１０に移行して、顔情報照合部３８が、従業員顔情報テーブルの顔情報と一致したか否かを判定し、従業員顔情報テーブルの顔情報と一致しないと判定したとき(No)は、ステップＳ２１２に移行する。
ステップＳ２１２では、取得した画像データが、パチンコホールの出入口近傍に設置したカメラ１００で撮影されたものである場合は、来店客数テーブルの当日の来店客数を加算し、取得した画像データが、両替所等近傍に設置したカメラ１００で撮影されたものである場合は、来店客数テーブルの当日の両替所等来所数を加算し、ステップＳ２１４に移行する。
【００３１】
ステップＳ２１４では、データ検索部４０が、取得した顔情報をもとに顧客顔情報テーブルを検索し、ステップＳ２１６に移行して、顧客顔情報報テーブルの顔情報と一致したか否かを判定し、顧客顔情報報テーブルの顔情報と一致しないと判定したとき(No)は、ステップＳ２１８に移行する。
ステップＳ２１８では、取得した顔情報を顧客顔情報テーブルに登録し、ステップＳ２２０に移行して、取得した顔情報、現在の日付、現在の時刻、現在の曜日およびカメラ１００の種別に基づいて来店履歴情報テーブルを更新し、一連の処理を終了して元の処理に復帰させる。具体的に、ステップＳ２２０では、取得した顔情報について更新対象のレコードが来店履歴情報テーブルに存在しないときは、取得した顔情報、現在の日付、現在の時刻、現在の曜日およびカメラ１００の種別を含む新たなレコードを来店履歴情報テーブルに登録し、更新対象のレコードが来店履歴情報テーブルに存在するときは、現在の時刻およびカメラ１００の種別に基づいて更新対象のレコードの内容を追加する。
【００３２】
一方、ステップＳ２１６で、顧客顔情報報テーブルの顔情報と一致すると判定したとき(Yes)は、ステップＳ２２２に移行して、最終更新時から所定時間が経過したか否かを判定し、所定時間が経過したと判定したとき(Yes)は、ステップＳ２２０に移行する。最終更新時の判定においては、例えば、遊技客は、電話・昼食・銀行等の諸事情の理由で、退店し、また、戻ってくる場合があり、このため、初期設定で、設定した時間（例えば、３時間）以後に取得した場合は更新履歴（レコード追加）するようにしている。なお、設定時間は、任意に変更可能である。
一方、ステップＳ２２２で、最終更新時から所定時間が経過していないと判定したとき(No)、ステップＳ２１０で、従業員顔情報テーブルの顔情報と一致すると判定したとき(Yes)、およびステップＳ２０４で、撮影画像に顔画像が含まれていないと判定したとき(No)はいずれも、一連の処理を終了して元の処理に復帰させる。
【００３３】
次に、ホールコンデータテーブル更新処理を説明する。
図１２は、ホールコンデータテーブル更新処理を示すフローチャートである。
ホールコンデータテーブル更新処理は、顧客分析管理装置１２０において実行されると、図１２に示すように、まず、ステップＳ３００に移行する。
ステップＳ３００では、所定時刻が到来したか否かを判定し、所定時刻が到来したと判定したとき(Yes)は、ステップＳ３０２に移行するが、そうでないと判定したとき(No)は、所定時刻が到来するまでステップＳ３００で待機する。ここで、所定時刻とは、遊技店が閉店した後にその日１日の最終的な稼働データや売上データ等のホールコンデータが確定した時刻を指す。例えば、閉店がＰＭ１１時なら、それから４０分後程度の時刻を設定するものである。
【００３４】
ステップＳ３０２では、日付、売上合計、パチンコ機の売上、スロットマシンの売上、パチンコのアウト、スロットマシンのアウト、パチンコ機の粗利およびスロットマシンの粗利を含むホールコンデータをホールコンピュータ１３０から取得し、ステップＳ３０４に移行して、取得したホールコンデータに基づいてホールコンデータテーブルを更新し、一連の処理を終了して元の処理に復帰させる。具体的に、ステップＳ３０４では、取得したホールコンデータの各リストごとに新たなレコードをホールコンデータテーブルに登録する。
【００３５】
次に、グラフ表示処理を説明する。
図１３は、グラフ表示処理を示すフローチャートである。
グラフ表示処理は、顧客分析管理装置１２０において実行されると、図１３に示すように、まず、ステップＳ４００に移行する。
ステップＳ４００では、設定部４６から分析要求を入力したか否かを判定し、分析要求を入力したと判定したとき(Yes)は、ステップＳ４０２に移行するが、そうでないと判定したとき(No)は、分析要求を入力するまでステップＳ４００で待機する。
【００３６】
ステップＳ４０２では、来店状況集計テーブルの当月分が未更新であるか否かを判定し、来店状況集計テーブルが未更新であると判定したとき(Yes)は、ステップＳ４０４に移行して、来店履歴情報テーブルおよび顧客顔情報テーブルの数値化され各遊技者を識別可能にした顔情報に基づいて来店回数等を集計して来店状況集計テーブルを更新し、ステップＳ４０６に移行する。
ステップＳ４０６では、分析データ生成部４１が、来店状況集計テーブルおよびホールコンデータテーブルに基づいて分析データを生成し、ステップＳ４０８に移行して、グラフ表示部４４が、生成した分析データに基づいて図１４〜図１８に示すグラフを表示し、一連の処理を終了して元の処理に復帰させる。
【００３７】
図１４は、来店客数と売上の相関を示すグラフである。
図１４のグラフでは、期間（時間）を横軸に、来店客数および売上を縦軸にそれぞれとり、来店客数の推移と売上の推移が対比して表示されている。売上および期間の関係は、ホールコンデータテーブルにおける日付および売上合計のフィールドを集計し、来店客数および期間の関係は、来店客数テーブルにおける日付および来店客数を集計することにより得られる。
これにより、来店客数の増減が売上にどのように影響するかを把握することができる。また、売上の伸びは、来店客数の増加を確認することにより理解でき、売上の減少の要因は、来店客数の減少なのか客単価（遊技客１人当たりの売上）の減少なのかが理解できる。
【００３８】
図１５は、来店客数と割数の相関を示すグラフである。
図１５のグラフでは、期間（時間）を横軸に、来店客数および割数を縦軸にそれぞれとり、来店客数の推移と割数の推移が対比して表示されている。割数および期間の関係は、ホールコンデータテーブルにおける日付、パチンコ機の売上およびパチンコのアウトのフィールドを集計し、来店客数および期間の関係は、来店客数テーブルにおける日付および来店客数を集計することにより得られる。
これにより、割数の変動が来店客数にどのように影響するかを把握することができる。また、ある割数以下になると、来店客数が減少することが把握でき、利益の限界が理解できる。
【００３９】
図１６は、各イベントごとの来店客数の推移を示すグラフである。
図１６のグラフでは、期間（時間）を横軸に、来店客数を横軸にそれぞれとり、各イベントごとに来店客数の推移が対比して表示されている。また、他のパチンコホールのイベントの時期も矢印で示されている。来店客数および期間の関係は、各イベントごとに来店客数テーブルにおける日付および来店客数を集計することにより得られる。
これにより、各イベントの実施が来店客数にどのように影響するか、他のパチンコホールのイベントの実施が来店客数にどのように影響するかを把握することができる。また、行っているイベントに対する集客効果やライバル店のイベントに対する影響が理解できる。
【００４０】
図１７は、両替所等来所数と来店客数の相関を示すグラフである。
図１７のグラフでは、期間（時間）を横軸に、来店客数および両替所等来所数を縦軸にそれぞれとり、来店客数の推移と両替所等来所数の推移が対比して表示されている。来店客数および期間の関係は、来店客数テーブルにおける日付および来店客数を集計し、両替所等来所数および期間の関係は、来店客数テーブルにおける日付および両替所等来所数を集計することにより得られる。
これにより、両替来所数の増減が来店客数にどのように影響するかを把握することができる。
【００４１】
図１８は、来店回数層の分布と売上の相関を示すグラフである。
図１８のグラフでは、期間（時間）を横軸に、来店回数を横軸にそれぞれとり、来店回数に応じて遊技客を３つのグループに分類し、来店回数層の分布、来店回数層ごとの来店客数の推移および売上の推移が対比して表示されている。来店客数および期間の関係は、来店履歴情報テーブルにおける顔情報および来店日付を集計することにより得られる。図１８において、Ｌは、１ヶ月あたり１〜５回来店している遊技客数のグループを、Ｍは、１ヶ月あたり６〜１０回来店している遊技客数のグループを、Ｈは、１ヶ月あたり１１回以上来店している遊技客数のグループを示している。
これにより、固定客の増減が売上にどのように影響するかを把握することができる。
【００４２】
次に、本実施の形態の動作を説明する。
初めに、遊技客の来店状況を集計する場合を説明する。
遊技客がパチンコホールの出入口を通行すると、近傍に設置されたカメラ１００により遊技客の顔画像が撮影される。また、遊技客が両替所等を訪れると、近傍に設置されたカメラ１００により遊技客の顔画像が撮影される。
画像処理コントローラ１１０では、ステップＳ１００〜Ｓ１０４を経て、各カメラ１００から定期的に画像データが取得され、取得された画像データがメモリ１６に格納される。
【００４３】
顧客分析管理装置１２０では、ステップＳ２００〜Ｓ２１０を経て、画像処理コントローラ１１０から画像データが取得され、取得された画像データから顔情報が取得され、取得された顔情報が従業員顔情報テーブルに存在するか否かが判定される。その結果、存在しないと判定されると、ステップＳ２１２、Ｓ２１４を経て、来店客数テーブルが更新され、取得された顔情報が顧客顔情報テーブルに存在するか否かが判定される。その結果、存在しないと判定されると、ステップＳ２１８、Ｓ２２０を経て、取得された顔情報が顧客顔情報テーブルに登録され、取得された顔情報に基づいて来店履歴情報テーブルが更新される。
また、顧客分析管理装置１２０では、所定時刻が到来すると、ステップＳ３０２、Ｓ３０４を経て、ホールコンピュータ１３０からホールコンデータが取得され、取得されたホールコンデータに基づいてホールコンデータテーブルが更新される。
【００４４】
次に、遊技客の来店状況を分析する場合を説明する。
パチンコホールの経営者は、遊技客の来店状況を分析したい場合、顧客分析管理装置１２０において分析要求を入力する。
顧客分析管理装置１２０では、分析要求が入力されると、ステップＳ４０４を経て、来店履歴情報テーブルおよび顧客顔情報テーブルが集計されて来店状況集計テーブルが更新される。そして、ステップＳ４０６、Ｓ４０８を経て、来店状況集計テーブルおよびホールコンデータテーブルに基づいて分析データが生成され、生成された分析データに基づいてグラフが表示される。
【００４５】
このようにして、本実施の形態では、パチンコホールの出入口を通行する遊技客の顔画像が撮影可能となるように出入口の近傍に設置したカメラ１００を備え、カメラ１００の撮影画像を解析して顔情報を取得し、取得した顔情報を含む来店履歴情報を来店履歴情報テーブルに登録する。
これにより、パチンコホールの出入口の近傍にカメラ１００を設置するだけなので、従来に比して、導入コストを低減することができる。また、パチンコホールの出入口は、多くの遊技客が通行するので、そのような各遊技客の来店履歴情報に基づけば、従来に比して、各遊技客ごとの来店状況を正確に算出することができる。
【００４６】
さらに、本実施の形態では、両替所等を訪れる遊技客の顔画像が撮影可能となるように両替所等の近傍に設置したカメラ１００を備え、カメラ１００の撮影画像を解析して顔情報を取得し、取得した顔情報を含む来店履歴情報を来店履歴情報テーブルに登録する。
これにより、両替所等の近傍にカメラ１００を設置するだけなので、従来に比して、導入コストを低減することができる。また、各遊技客ごとの両替所等の利用状況を正確に算出することができる。
【００４７】
さらに、本実施の形態では、取得した顔情報が従業員顔情報テーブルに存在するか否かを判定し、顔情報が存在すると判定したときは、来店履歴情報を登録しない。
これにより、従業員が登録の対象から除外されるので、各遊技客ごとの来店状況をさらに正確に算出することができる。
さらに、本実施の形態では、来店履歴情報の最終更新時から所定時間が経過していないと判定したときは、来店履歴情報を更新しない。
【００４８】
これにより、最終更新時から所定時間が経過していない場合は、同一遊技客の来店履歴情報である可能性が高いので、同一遊技客の来店履歴情報が頻繁に更新されるのを防止することができる。
さらに、本実施の形態では、来店履歴情報テーブルおよび顧客顔情報テーブルを集計して来店状況集計テーブルを更新し、来店状況集計テーブルおよびホールコンデータテーブルに基づいて分析データを生成し、生成した分析データに基づいてグラフを表示する。
これにより、ホールコンデータおよび各遊技客ごとの来店状況を関連付けた経営分析を行うことができる。
【００４９】
上記実施の形態において、カメラ１００は、請求項１または２記載の撮影手段に対応し、データベース３４は、請求項１若しくは２記載の来店履歴情報記憶手段、または請求項３記載の従業員顔情報記憶手段に対応し、ステップＳ２０６は、請求項１ないし３記載の顔情報取得手段に対応している。また、ステップＳ２０８、Ｓ２１０は、請求項３記載の従業員顔情報存在判定手段に対応し、ステップＳ２１２〜Ｓ２２２は、請求項１ないし４記載の来店履歴情報登録手段に対応し、ステップＳ３０２は、請求項１または２記載のホールコンデータ取得手段に対応している。
【００５０】
また、上記実施の形態において、ステップＳ４０４は、請求項１または２記載の来店状況算出手段に対応し、ステップＳ４０６は、請求項１または２記載の分析データ生成手段に対応し、両替所等は、請求項２記載の関連施設に対応している。
なお、上記実施の形態においては、図１４〜図１８のグラフを顧客分析管理装置１２０により自動的に生成するように構成したが、これに限らず、任意指定により設計してもよい。
【００５１】
また、上記実施の形態においては、図３、図１１〜図１３のフローチャートに示す処理を実行するにあたってはいずれも、メモリ１６、３２にあらかじめ格納されている遊技制御プログラムを実行する場合について説明したが、これに限らず、これらの手順を示したプログラムが記憶された記憶媒体から、そのプログラムをメモリ１６、３２に読み込んで実行するようにしてもよい。
【００５２】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
また、上記実施の形態においては、本発明に係る来店状況管理システムを、パチンコホールにおける遊技客の来店状況を管理する場合について適用したが、これに限らず、本発明の主旨を逸脱しない範囲で他の場合にも適用可能である。
【図面の簡単な説明】
【００５３】
【図１】来店状況管理システムの構成を示すブロック図である。
【図２】画像処理コントローラ１１０の機能概要を示す機能ブロック図である。
【図３】画像データ取得処理を示すフローチャートである。
【図４】顧客分析管理装置１２０の機能概要を示す機能ブロック図である。
【図５】来店履歴情報テーブルのデータ構造を示す図である。
【図６】顧客顔情報テーブルのデータ構造を示す図である。
【図７】従業員顔情報テーブルのデータ構造を示す図である。
【図８】ホールコンデータテーブルのデータ構造を示す図である。
【図９】来店客数テーブルのデータ構造を示す図である。
【図１０】遊技客別来店状況集計テーブルのデータ構造を示す図である。
【図１１】来店履歴情報テーブル更新処理を示すフローチャートである。
【図１２】ホールコンデータテーブル更新処理を示すフローチャートである。
【図１３】グラフ表示処理を示すフローチャートである。
【図１４】来店客数と売上の相関を示すグラフである。
【図１５】来店客数と割数の相関を示すグラフである。
【図１６】各イベントごとの来店客数の推移を示すグラフである。
【図１７】両替所等来所数と来店客数の相関を示すグラフである。
【図１８】来店回数層の分布と売上の相関を示すグラフである。
【符号の説明】
【００５４】
１００              カメラ
１１０              画像処理コントローラ
１２０              顧客分析管理装置
１３０              ホールコンピュータ
１４０              中継装置
１０、３０          通信Ｉ／Ｆ
１２                画像データ取得部
１４                画像処理部
１６、３２          メモリ
１８、４８          制御部
３４                データベース
３６                顔情報抽出判断部
３８                顔情報照合部
４０                データ検索部
４１                分析データ生成部
４２                データ表示部
４４                グラフ表示部
４６                設定部
【図１】
2007020653.tif 000003
【図２】
2007020653.tif 000004
【図３】
2007020653.tif 000005
【図４】
2007020653.tif 000006
【図５】
2007020653.tif 000007
【図６】
2007020653.tif 000008
【図７】
2007020653.tif 000009
【図８】
2007020653.tif 000010
【図９】
2007020653.tif 000011
【図１０】
2007020653.tif 000012
【図１１】
2007020653.tif 000013
【図１２】
2007020653.tif 000014
【図１３】
2007020653.tif 000015
【図１４】
2007020653.tif 000016
【図１５】
2007020653.tif 000017
【図１６】
2007020653.tif 000018
【図１７】
2007020653.tif 000019
【図１８】
2007020653.tif 000020